(57)【要約】      （修正有）【課題】生体の様々な疾患の治療に適する、有効で且つ例外なく適用できる露光装置を提供する。【解決手段】制御可能な光源１２と、前記光源１２の中央制御システムＩとを有する。前記光源１２はグループＩＶに配置され、前記光源１２のあらゆるグループＩＶは前記中央制御システムＩに連結して、前記光源１２のあらゆる単一グループＩＶの独立した動作を可能にする。前記露光装置はさらに、生体の生理的パラメータを測定するシステムＩＩと、生理的パラメータ制御器Ｖとを有し、前記測定システムＩＩおよび制御器Ｖは前記中央制御システムＩに接続する。【選択図】図１
0003172118.tif 000002
【実用新案登録請求の範囲】
【請求項１】
生体の治療のための露光装置であって、
制御可能な光源（１２）と、
前記光源（１２）の中央制御システム（Ｉ）であって、前記光源（１２）はグループ（ＩＶ）に配置され、前記光源（１２）の各グループ（ＩＶ）は前記光源（１２）のあらゆるグループ（ＩＶ）を独立して動作させるような方法で前記中央制御システム（Ｉ）に連結されるものである、前記中央制御システム（Ｉ）と、
生体の生理的パラメータを測定するシステム（ＩＩ）と、
生理的パラメータ制御器（Ｖ）と
を有し、
前記測定システム（ＩＩ）および前記制御器（Ｖ）は中央制御システム（Ｉ）に接続するものである
装置。
【請求項２】
請求項１記載の装置において、前記生理的パラメータを測定する測定システム（ＩＩ）は、パルスセンサー（５）および／または温度センサー（６）および／または脳の周波数を測定する少なくとも１つのセンサー（４）を有するものである。
【請求項３】
請求項１または２記載の装置において、前記レーザ光源（１２）は、高出力且つ広い範囲の波長の光源、単一ＬＥＤ、マトリックス配列のＬＥＤ、ハロゲン光源、レーザーダイオード、およびレーザー光源を含む群から選択される制御可能な光源である。
【請求項４】
請求項１〜３記載の装置において、前記光源（１２）は、好ましくは１００ｎｓ〜１００ｍｓの範囲のパルス持続時間の光パルスを放射するのに使用されるものである。
【請求項５】
請求項１〜４記載の装置において、前記光源（１２）は、外殻構造の壁に固定されているものである。
【請求項６】
請求項５記載の装置において、前記カバーは外殻構造で作成され、少なくとも部分的に治療可能な個体を包み込むものである。
【請求項７】
請求項１〜６記載の装置において、前記冷却器（ＩＶ）は、前記光源（１２）を冷却するのに使用されるものである。
【考案の詳細な説明】
【技術分野】
【０００１】
本考案は、生体を治療するための露光装置に関し、露光装置は、制御可能な光源および光源の中央制御システムを有する。
【０００２】
本考案は医療技術、特にレーザー装置の分野に適用することができ、多様な適用目的において露光の異なるモードを使用して、人体または動物体に治療効果を及ぼす。
【０００３】
本考案の装置は、素早い創傷の治癒、浮腫の低下、異なる病因の痛みの鎮痛、特に脂肪吸引の術後治療の良好、さらに異なるタイプの炎症の軽減、損傷した筋肉および腱の再生などを可能にする。
【０００４】
本考案の要旨の１つの実施形態では、治療組織の検出可能な温度の増加または肉眼で認識できる組織構造の変化のいずれも引き起こさない。従って、標的治療を受けたおよび健全な組織は加熱されず、従って熱的損傷を受けない。
【０００５】
幾つかのケースでは、生体の種々の臓器は様々なタイプの光パルスに露出させる必要がある。
【背景技術】
【０００６】
光線力学的療法は文献（Ｄｅｐａｒｔｍｅｎｔ  ｏｆ  ｐａｔｈｏｌｏｇｙ，Ｎｏｒｗｅｇｉａｎ  Ｒａｄｉｕｍ  Ｈｏｓｐｉｔａｌ，Ｕｎｉｖｅｒｓｉｔｙ  ｏｆ  Ｏｓｌｏ，１９９７，Ｊａｎ．１５，７９（１２），２２８２−３０８）から知られている。この周知の方法は、レーザー光線照射の前に光感受性物質−５−アミノレブリン酸の適用を有し、表在性潰瘍、口粘膜などの治療に使用される。
【０００７】
ヒト用の高周波露光装置は市販されている（例えば、ＥＨＹ−２０００  ｂｙ  Ｏｎｃｏｔｈｅｒｍ  Ｋｆｔ．，ハンガリー）。利用できる装置は、可動フレームに搭載される電波源を有し、高周波の露出は、標的の治療可能な領域の狭い部位に限られる。余分な時間と労力が、より大きな標的領域または幾つかの標的領域を照射するのに必要となる不利な点がある。
【０００８】
ヒトの皮膚に光の影響を施す携帯型レーザー装置が、２００７年１月２０日付けのロシア特許第２  ２９１  ７２５号から知られている。この周知の実施形態は、少なくとも２つのレーザー光源と、レーザー光源用の（独立して機能する幾つかのレーザー光源を可能にする）制御装置と、レーザー光源によって照射されるレーザー光線を束ねる（あらゆる束を特定の方法で再構築して異なる形状のスポットライトを可能にする）光学機器とから成っている。この携帯型レーザー装置は、レーザー光照射の異なるモードを可能にし、低電力消費を提供する。
【０００９】
この周知のレーザー装置の欠点は、放射力、時間、および照射領域に関する照射線量の正確な管理が不十分なため、限定された治療効果しか示せない。
【００１０】
光線力学的療法（ＰＤＴ）の別の装置が、２００９年９月１０日付けのロシア特許第８６４３２号から知られている。この装置は、電源に接続された制御装置と、幾つかの光ダイオードから成る発振器と、カバーの内面に搭載された冷却装置とを有し、前記冷却装置はあらゆる光ダイオードを独立して動作させ、異なる照射パターンおよびスペクトルを得ることができる。
【００１１】
２００５年７月１０日付けのロシア特許第４６４３５号は、医用レーザー装置であって、電源と、当該電源に接続するマイクロプロセッサ・ベースの制御装置とを有し、前記制御装置は光学機器と連結する装置を開示している。前記光学機器は半導体レーザー光源と光導体とを備える。前記制御装置は、レーザー光線の波長を安定させ、標的治療領域の温度を監督し、警告ランプおよびアラーム音の設定を可能にする。
【考案の概要】
【課題を解決するための手段】
【００１２】
本考案の要旨は、生体の様々な疾患の治療に適する、有効で且つ例外なく適用できる露光装置を提供することである。
【００１３】
本考案の技術的手段は、中央制御システムが、光源制御器の動作および生理的パラメータを測定するシステムの動作を確保し、光源がグループに配置され、当該光源の各グループが前記制御器と連結して当該光源のあらゆる単一グループの動作を可能にするという洞察に基づいている。
【００１４】
光源の有効性は、治療可能な生体の個々の生理的状態に従って光照射を調和させることにより増加する。光源をグループに配置し、光源の各単一グループを制御することにより、標的領域に導く光放射を最適化することができる。光源は互いに関係なく動作させることができるが、一方で放射力の最高レベルで光源の全てのグループの同時制御も可能である。治療可能な生体の生理的パラメータを測定するシステムは、測定された生理的パラメータに従って光源の照射モードを同期させることができる。いかなる治療可能な生体の生理的パラメータも好ましくは露光セッション中連続的に検査され、これにより中央制御システムは、個々の生理的パラメータに従って光源のあらゆる単一グループの放射力を制御するための最適な動作パラメータを常に保持できる。
【００１５】
生理的パラメータを測定するシステムは、例えばパルスセンサーおよび／または温度センサーおよび／または脳の周波数を測定するための少なくとも１つのセンサーを有する。
【００１６】
光源は、好ましくは、高出力且つ広い範囲の波長の光源、単一ＬＥＤ、マトリックス配列のＬＥＤ、ハロゲン光源、レーザーダイオード、およびレーザー光源を含む群から選択される制御可能な光源である。光源の放射力は、好ましくは１ｍＷ〜１０Ｗの範囲である。パルスモードにおいて、パルス周波数は０〜１０ｋＨｚで、パルス持続時間は１００ｎｓ〜１００ｍｓで、ピーク時の放射力は例えば１Ｗ〜１０ｋＷである。光源により、好ましくは１００ｎｓ〜１０ｍｓの範囲のパルス持続時間の光パルスを放射する。
【００１７】
本考案の１つの実施形態によれば、光源はフレーム壁に固定されている。
【００１８】
本考案の１つの実施形態によれば、カバーは、治療可能な個体を少なくとも部分的に包み込む外殻構造で作成されている。
【００１９】
好ましくは、冷却器は光源を冷却するために使用される。前記冷却器は光源制御器に接続されて、光源から取り除かれた余剰熱をさらに利用できる。
【図面の簡単な説明】
【００２０】
【図１】図１は、本考案の生体組織を治療するための露光装置の実施形態の概略図である。
【考案を実施するための形態】
【００２１】
露光装置は、中央制御システムＩと、治療可能な生体の生理的パラメータを測定するシステムＩＩと、動作パラメータの入力および制御のためのシステムＩＩＩと、光源１２のグループＩＶと、制御器Ｖと、前記光源１２を冷却する冷却器ＶＩとを有する。
【００２２】
前記中央制御システムＩは、操作者が必要な動作パラメータを入力するデータ入力システム１と、データサーバ２と、治療した生体の生理的パラメータに従って照射モードおよび前記光源１２の照射パラメータを調和させる同調器３とを有する。
【００２３】
前記中央制御システムＩは生体の生理的パラメータを測定するシステムＩＩと接続している。前記測定システムＩＩは、生理的パラメータを連続的に監視することを可能にし、さらに例えば脳の周波数（ｂｒａｉｎ  ｆｒｅｑｕｅｎｃｉｅｓ：ＥＥＧ）を測定する少なくとも１つのセンサー４、パルスセンサー５、または温度センサー６を有する。
【００２４】
前記動作パラメータの入力および制御のためのシステムＩＩＩは、前記光源１２のグループＩＶに関する放射力制御器７と、前記光源１２に供給される電流強度に関する制御器８と、周波数変調制御器９と、前記光源１２の実行時間の制御および入力に関するモジュール１０と、前記光源１２のグループＩＶのパルスモード装置１１とを有する。
【００２５】
前記光源１２のグループＩＶは、単一光源１２の群からなり、好ましくは外殻構造上に設置される。
【００２６】
前記中央制御システムＩに接続される前記制御器Ｖは、照射セッションの間生体の状態を連続的に監視すことができる。前記中央制御システムＩは、生体の個々の生理的パラメータに従って前記光源１２の最適な照射モードを選択することを確保する。
【００２７】
冷却器ＶＩは、照射セッション間前記光源１２のグループＩＶを冷却するか、またはそれらの余剰熱を取り除くかのいずれかを行う。
【００２８】
操作者は、データ入力システムＩに照射された生体の生理的パラメータのインジケータに従って動作パラメータを入力する。前記中央制御システムＩは、測定システムＩＩによって測定された生体の生理的パラメータに従って入力されたデータを前記同調器３を用いて修正する。前記動作パラメータの入力および制御のためのシステムＩＩＩは、前記光源１２の各グループＩＶによって放出された光の動作パラメータを決定および検査する。パルスモードで動作している間、前記装置１１は動作パラメータおよび前記光源１２のグループＩＶの機能を決定する。
【図１】
0003172118.tif 000003
【手続補正書】
【提出日】平成23年7月8日(2011.7.8)
【手続補正１】
【補正対象書類名】実用新案登録請求の範囲
【補正対象項目名】全文
【補正方法】変更
【補正の内容】
【実用新案登録請求の範囲】
【請求項１】
生体の治療のための露光装置であって、
制御可能な１若しくはそれ以上の光源（１２）と、
前記１若しくはそれ以上の光源（１２）から照射モードを選択する中央制御システム（Ｉ）であって、前記光源（１２）は、１若しくはそれ以上のグループ（ＩＶ）へグループ分けされ、各グループ（ＩＶ）はそれぞれ独立して動作可能な方法で連結されている、前記中央制御システム（Ｉ）と、
生体の生理的パラメータを測定するシステム（ＩＩ）と、
生理的パラメータ制御器（Ｖ）と、
を有し、
前記測定システム（ＩＩ）および前記制御器（Ｖ）は、互いに前記中央制御システム（Ｉ）に接続することを特徴とする
装置。
【請求項２】
請求項１記載の装置において、前記生理的パラメータを測定する測定システム（ＩＩ）は、パルスセンサー（５）および／または温度センサー（６）および／または脳の周波数を測定する少なくとも１つのセンサー（４）を有することを特徴とする装置。
【請求項３】
請求項１または２記載の装置において、前記レーザ光源（１２）は、高出力且つ広い範囲の波長の光源、単一ＬＥＤ、マトリックス配列のＬＥＤ、ハロゲン光源、レーザーダイオード、およびレーザー光源を含む群から選択される制御可能な光源であることを特徴とする装置。
【請求項４】
請求項１〜３のいずれかに記載の装置において、前記光源（１２）は、好ましくは１００ｎｓ〜１００ｍｓの範囲のパルス持続時間の光パルスを放射するのに使用されることを特徴とする装置。
【請求項５】
請求項１〜４のいずれかに記載の装置において、前記光源（１２）は、外殻構造の壁に固定されていることを特徴とする装置。
【請求項６】
請求項５記載の装置において、前記カバーは外殻構造で作成され、少なくとも部分的に治療可能な個体を包み込むことを特徴とする装置。
【請求項７】
請求項１〜６のいずれかに記載の装置において、前記冷却器（ＩＶ）は、前記光源（１２）を冷却するのに使用されことを特徴とする装置。
【手続補正２】
【補正対象書類名】明細書
【補正対象項目名】００２８
【補正方法】変更
【補正の内容】
【００２８】
操作者は、データ入力システム１に照射された生体の生理的パラメータのインジケータに従って動作パラメータを入力する。前記中央制御システムＩは、測定システムＩＩによって測定された生体の生理的パラメータに従って入力されたデータを前記同調器３を用いて修正する。前記動作パラメータの入力および制御のためのシステムＩＩＩは、前記光源１２の各グループＩＶによって放出された光の動作パラメータを決定および検査する。パルスモードで動作している間、前記装置１１は動作パラメータおよび前記光源１２のグループＩＶの機能を決定する。
【手続補正書】
【提出日】平成23年10月4日(2011.10.4)
【手続補正１】
【補正対象書類名】実用新案登録請求の範囲
【補正対象項目名】全文
【補正方法】変更
【補正の内容】
【実用新案登録請求の範囲】
【請求項１】
生体の治療のための露光装置であって、
制御可能な１若しくはそれ以上の光源（１２）であって、１若しくはそれ以上のグループ（ＩＶ）へグループ分けされている光源と、
中央制御システム（Ｉ）であって、生体の生理的パラメータを測定するシステム（ＩＩ）と、照射中の生体の状態を監視する制御器（Ｖ）と、が接続され、前記１若しくはそれ以上の光源（１２）の各グループ（ＩＶ）がそれぞれ独立的に動作するよう制御し生体への好ましい照射モードを選択するものである、前記中央制御システム（Ｉ）と
を有することを特徴とする装置。
【請求項２】
請求項１記載の装置において、前記生理的パラメータを測定する測定システム（ＩＩ）は、パルスセンサー（５）および／または温度センサー（６）および／または脳の周波数を測定する少なくとも１つのセンサー（４）を有することを特徴とする装置。
【請求項３】
請求項１または２記載の装置において、前記レーザ光源（１２）は、高出力且つ広い範囲の波長の光源、単一ＬＥＤ、マトリックス配列のＬＥＤ、ハロゲン光源、レーザーダイオード、およびレーザー光源を含む群から選択される制御可能な光源であることを特徴とする装置。
【請求項４】
請求項１〜３のいずれかに記載の装置において、前記光源（１２）は、好ましくは１００ｎｓ〜１００ｍｓの範囲のパルス持続時間の光パルスを放射するのに使用されることを特徴とする装置。
【請求項５】
請求項１〜４のいずれかに記載の装置において、前記光源（１２）は、外殻構造の壁に固定されていることを特徴とする装置。
【請求項６】
請求項５記載の装置において、前記カバーは外殻構造で作成され、少なくとも部分的に治療可能な個体を包み込むことを特徴とする装置。
【請求項７】
請求項１〜６のいずれかに記載の装置において、前記冷却器（ＩＶ）は、前記光源（１２）を冷却するのに使用されことを特徴とする装置。